(57)【要約】  本開示の色信号処理回路(20)は、入力される複数の原色の色信号(Ｒin，Ｇin，Ｂin，Ｗin)のうち、１つの原色の色信号（Ｗin）の信号レベルに基づいて、他の原色の色信号の色度についての補正信号(ΔＲ，ΔＧ，ΔＢ)を、所定の色度に対応した各色信号の信号レベルからの差分値として生成する補正信号生成部(21)と、補正信号生成部が生成した補正信号を用いて他の原色の色信号を補正する補正部(22)とを備える。  これにより、補正信号の生成に当たってのデータ量を、補正信号生成部の出力が他の原色の信号値のフルレンジを取る必要がある場合に比べて削減できるため、色信号の信号レベルに応じた色度変動を、より少ないデータ量にて補正可能となる。
2014024577.tif 000002
【特許請求の範囲】
【請求項１】
入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える色信号処理回路。
【請求項２】
入力される複数の原色の色信号で表現される輝度と、補正部で補正後の他の原色の色信号及び１つの原色の色信号で表現される輝度とが同じである請求項１に記載の色信号処理回路。
【請求項３】
補正部は、他の原色の色信号に対して補正信号を加算する処理を行う請求項１に記載の色信号処理回路。
【請求項４】
補正信号生成部は、１つの原色の色信号に対して、他の原色の色信号に対する補正信号の加算による輝度の上昇分を補正する補正信号を生成し、  補正部は、補正信号生成部が生成した補正信号を１つの原色の色信号の信号レベルから減算する処理を行う請求項３に記載の色信号処理回路。
【請求項５】
補正信号生成部は、１つの原色の色信号について、他の原色の色信号に対する補正信号の加算による輝度の上昇分を減算した信号として出力する請求項３に記載の色信号処理回路。
【請求項６】
複数の原色は、赤色、緑色、青色、及び、白色の４原色であり、  １つの原色の色信号は、白色の色信号である請求項１に記載の色信号処理回路。
【請求項７】
白色の色信号は、所定の階調を表現するための赤色、緑色、及び、青色の各色信号から生成された信号である請求項６に記載の色信号処理回路。
【請求項８】
入力される複数の原色の色信号となる４原色の色信号で表現される輝度は、所定の階調を表現するための赤色、緑色、及び、青色の各色信号で表わされる輝度と同じである請求項７に記載の色信号処理回路。
【請求項９】
入力される複数の原色の色信号は、所定の階調を表現するための赤色、緑色、及び、青色の３原色の色信号を、これら３原色の色信号を基に白色を含む４原色の色信号に変換する信号変換回路から与えられ、  信号変換回路は、変換後の４原色の色信号で表現される輝度を、変換前の３原色の色信号で表わされる輝度と同じにする請求項８に記載の色信号処理回路。
【請求項１０】
補正信号生成部は、補正部で補正後の他の原色の色信号及び１つの原色の色信号によって駆動される表示パネルの経時的な特性劣化に応じて補正信号を生成する請求項１に記載の色信号処理回路。
【請求項１１】
補正信号生成部は、補正部で補正後の他の原色の色信号及び１つの原色の色信号によって駆動される表示パネルの温度に応じて補正信号を生成する請求項１に記載の色信号処理回路。
【請求項１２】
補正信号生成部は、補正部で補正後の他の原色の色信号及び１つの原色の色信号によって駆動される表示パネルの面内の座標に応じて補正信号を生成する請求項１に記載の色信号処理回路。
【請求項１３】
補正信号生成部は、１つの原色の色信号の信号レベルに対応して、他の原色の色信号についての補正信号を格納したルックアップテーブルから成る請求項１に記載の色信号処理回路。
【請求項１４】
ルックアップテーブルは、補正部で補正後の他の原色の色信号及び１つの原色の色信号によって駆動される表示パネルの経時的な特性劣化による色度変動に対応して複数設けられており、表示パネルの経時的な特性劣化の度合いに応じて１つが選択される請求項１３に記載の色信号処理回路。
【請求項１５】
ルックアップテーブルは、補正部で補正後の他の原色の色信号及び１つの原色の色信号によって駆動される表示パネルの温度による色度変動に対応して複数設けられており、表示パネルの検出温度に応じて１つが選択される請求項１３に記載の色信号処理回路。
【請求項１６】
ルックアップテーブルは、補正部で補正後の他の原色の色信号及び１つの原色の色信号によって駆動される表示パネルの面内の色度変動に対応して複数設けられており、表示パネルの面内座標に応じて１つが選択される請求項１３に記載の色信号処理回路。
【請求項１７】
補正信号生成部は、  所定の色度を与える、階調とＸＹＺ座標系のＸＹＺ値との特性を基に、１つの原色の色信号の信号レベルを他の原色の色信号の信号レベルに変換する第１変換機能と、  複数の原色の色信号で表現される実際の色度を与える、階調とＸＹＺ座標系のＸＹＺ値との非線形な特性を基に、１つの原色の色信号の信号レベルを他の原色の色信号の信号レベルに変換する第２変換機能と、  第１変換機能で変換した信号レベルと第２変換機能で変換した信号レベルとの差分をとる減算機能とを有する請求項１に記載の色信号処理回路。
【請求項１８】
入力される複数の原色の色信号のうち、１つの原色の色信号の信号レベルに基づいて、他の原色の色信号の色度についての補正信号を、所定の色度に対応した各色信号の信号レベルからの差分値として生成し、  この生成した補正信号を用いて他の原色の色信号を補正する色信号処理方法。
【請求項１９】
複数の原色に対応する複数の副画素を含む単位画素が配置されて成る表示パネルと、  複数の副画素を駆動する複数の原色の色信号を処理する色信号処理回路とを具備し、  色信号処理回路は、  入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える表示装置。
【請求項２０】
複数の原色に対応する複数の副画素を含む単位画素が配置されて成る表示パネルと、  複数の副画素を駆動する複数の原色の色信号を処理する色信号処理回路とを具備し、  色信号処理回路は、  入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える表示装置を有する電子機器。
【発明の詳細な説明】
【技術分野】
【０００１】  本開示は、色信号処理回路、色信号処理方法、表示装置、及び、電子機器に関する。
【背景技術】
【０００２】  表示装置、例えば、液晶表示装置や有機ＥＬ(electro luminescence)表示装置などの平面型（フラットパネル型）の表示装置では、カラー画像を形成する単位となる１つの画素（単位画素／ピクセル）が、異なる表示色に対応する複数の副画素（サブピクセル）から構成される。そして、複数の副画素の各々は、対応する色信号の信号レベルに応じて発光輝度が変化することになる。【０００３】  このように、色信号の信号レベルに応じて副画素の発光輝度が変化するのであるが、副画素を構成するデバイス（発光素子）の特性などの問題から、信号レベルに応じて色度が変動する場合がある。この信号レベルに応じた色度の変動を補正するために、従来は、Ｒ（赤色）Ｇ（緑色）Ｂ（青色）の３色の色信号から、Ｗ（白色）を含む４色の色信号へ変換する信号変換回路に対して、ルックアップテーブル（ＬＵＴ）を用いる補正回路を追加することによって色度補正を実現している（例えば、特許文献１参照）。
【先行技術文献】
【特許文献】
【０００４】
【特許文献１】特表２０１０−５２４０４４号公報
【発明の概要】
【発明が解決しようとする課題】
【０００５】  上記の特許文献１に記載の従来技術では、Ｗの色信号を基にＲＧＢに対応する強度を示す信号を補正信号として生成し、当該補正信号をＲＧＢの色信号から引き算することにより、色度変動の補正に加えて、Ｗ信号の追加に伴う輝度の上昇分を補正するようにしている。従って、この従来技術では、補正信号を生成する回路部の出力が、各原色の信号値のフルレンジを取る必要があるためデータ量が多くなってしまう。【０００６】  本開示は、色信号の信号レベルに応じた色度変動を、より少ないデータ量にて補正可能な色信号処理回路、色信号処理方法、当該色信号処理回路を用いる表示装置、及び、当該表示装置を有する電子機器を提供することを目的とする。
【課題を解決するための手段】
【０００７】  上記の目的を達成するための本開示の色信号処理回路は、  入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える色信号処理回路である。【０００８】  本開示の色信号処理回路は、表示装置に備えられる色信号処理回路として用いることができる。また、本開示の色信号処理回路を用いる表示装置は、各種の電子機器において、その表示部として用いて好適なものである。【０００９】  また、上記の目的を達成するための本開示の色信号処理方法は、  入力される複数の原色の色信号のうち、１つの原色の色信号の信号レベルに基づいて、他の原色の色信号の色度についての補正信号を、所定の色度に対応した各色信号の信号レベルからの差分値として生成し、  この生成した補正信号を用いて他の原色の色信号を補正する色信号処理方法である。【００１０】  １つの原色の色信号の信号レベルに応じて当該原色の色度が変動した場合、その色度変動を、他の原色との加法混色によって補正することができる。このとき、１つの原色が補正対象の原色となり、他の原色が１つの原色の色度補正のために用いる原色となる。そして、１つの原色の色度補正に当たり、他の原色の色信号についての補正信号、即ち、他の原色の色信号の信号レベルを調整するための補正信号を、１つの原色の色信号の信号レベルに基づいて、所定の色度に対応した各色信号の信号レベル（補正目標レベル）からの差分値として生成する。【００１１】  ここで、「所定の輝度」とは、補正対象の原色、即ち、上記の１つの原色の任意の階調における色度である。例えば、任意の階調は、最大階調に設定することができる。所定の色度に対応した各色信号の信号レベルからの差分値を補正信号とすることで、当該補正信号を生成する補正信号生成部の出力は、他の原色の信号値のフルレンジを取る必要がない。従って、補正信号生成部の出力値のビット精度を、フルレンジを取る必要がある場合と同じとするならば、フルレンジを取る必要がある場合に比べてデータ量を削減できる。また、上記の所定の温度に合わせるのとともに、更に製品で規定する色度に合わせるように補正を行うこともできる。
【発明の効果】
【００１２】  本開示によれば、補正信号の生成に当たってのデータ量を、補正信号生成部の出力が他の原色の信号値のフルレンジを取る必要がある場合に比べて削減できるため、色信号の信号レベルに応じた色度変動を、より少ないデータ量にて補正可能となる。
【図面の簡単な説明】
【００１３】
【図１】図１は、本開示の色信号処理回路を用いる表示装置の構成の概略を示すブロック図である。
【図２】図２は、本開示の一実施形態に係る色信号処理回路の構成の一例を示すブロック図である。
【図３】図３は、実施例１に係る色度変動補正回路を示すブロック図である。
【図４】図４は、実施例２に係る色度変動補正回路を示すブロック図である。
【図５】図５は、実施例２の変形例に係る色度変動補正回路を示すブロック図である。
【図６】図６は、実施例３に係る色度変動補正回路を示すブロック図である。
【図７】図７は、実施例４に係る色度変動補正回路を示すブロック図である。
【図８】図８は、実施例５に係る色度変動補正回路を示すブロック図である。
【図９】図９は、実施例６に係る色度変動補正回路を示すブロック図である。
【図１０】図１０は、比較例に係る従来の色信号処理回路の構成を示すブロック図である。
【発明を実施するための形態】
【００１４】  以下、本開示の技術を実施するための形態（以下、「実施形態」と記述する）について図面を用いて詳細に説明する。以下の説明や図面において、同一要素又は同一機能を有する要素には同一符号を用いることとし、重複する説明は省略する。尚、説明は以下の順序で行う。１．本開示の色信号処理回路及び色信号処理方法、全般に関する説明２．本開示の表示装置３．実施形態に係る色信号処理回路  ３−１．実施例１  ３−２．実施例２  ３−３．実施例２の変形例  ３−４．実施例３  ３−５．実施例４  ３−６．実施例５  ３−７．実施例６４．比較例５．実施形態の変形例６．本開示の電子機器７．本開示の構成
【００１５】＜１．本開示の色信号処理回路及び色信号処理方法、全般に関する説明＞  本開示の色信号処理回路（色信号処理方法）は、液晶表示装置や有機ＥＬ表示装置等の平面型（フラットパネル型）の表示装置に備えられる色信号処理回路（色信号処理方法）として用いることができる。平面型の表示装置では、カラー画像を形成する単位となる１つの画素（ピクセル）が、異なる表示色に対応する複数の副画素（サブピクセル）から構成される。
【００１６】  典型的には、１つの画素は、例えば、赤色（Ｒｅｄ；Ｒ）を表示する副画素、緑色（Ｇｒｅｅｎ；Ｇ）を表示する副画素、青色（Ｂｌｕｅ；Ｂ）を表示する３つの副画素から構成される。この典型的な画素構成以外に、ＲＧＢ３原色の副画素に更に１色あるいは複数色の副画素を加えた画素構成とすることも可能である。具体的には、輝度向上のために白色（Ｗｈｉｔｅ；Ｗ）を表示する副画素を加える画素構成や、色再現範囲を拡大するために黄色（Ｙｅｌｌｏｗ；Ｙｅ）を表示する副画素を加える画素構成などを例示することができる。
【００１７】  これら画素構成を有する表示装置において、副画素を構成するデバイス（発光素子）の特性などの問題から、副画素を駆動する色信号の信号レベルに応じて色度が変動する場合がある。この色度変動については、他の原色、即ち、他の副画素の表示色との加法混色によって補正することができる。
【００１８】  上記の色度補正を実現するための本開示の色信号処理回路及び色信号処理方法にあっては、先ず、入力される複数の原色の色信号のうち、１つの原色の色信号の信号レベルに基づいて、他の原色の色信号の色度についての補正信号を、所定の色度に対応した各色信号の信号レベルからの差分値として生成する。ここで、「所定の輝度」とは、補正対象の原色、即ち、上記の１つの原色の任意の階調における色度である。例えば、任意の階調は、最大階調に設定することができる。そして、補正信号を用いて他の原色の色信号を補正することで、色信号の信号レベルに応じた色度変動の補正処理を実現する。
【００１９】  この色度変動の補正処理が可能な本開示の色信号処理回路を備える表示装置は、電子機器に入力された映像信号、若しくは、電子機器内で生成した映像信号を、画像若しくは映像として表示するあらゆる分野の電子機器において、その表示部（表示装置）として用いることができる。電子機器としては、デジタルカメラ、ビデオカメラ、ゲーム機器、ノート型パーソナルコンピュータ、テレビジョンシステム、投射型表示システム、電子書籍機器等の携帯情報機器や、携帯電話機等の携帯通信機器などを例示することができる。
【００２０】  上述した好ましい構成を含む本開示の色信号処理回路にあっては、入力される複数の原色の色信号で表現される輝度について、好ましくは、補正後の他の原色の色信号及び１つの原色の色信号で表現される輝度と同じとするのがよい。ここで言う「同じ」とは、厳密に同じである場合の他、実質的に同じである場合も含む意味であり、設計上あるいは製造上生ずる種々のばらつきの存在は許容される。
【００２１】  このように、入力側の色信号で表現される輝度が、出力側の色信号で表現される輝度とが同じであるということは、ＲＧＢの各色信号に対して補正を行う補正部においては、色度の補正のみが行われ、輝度の補正は行われないことを意味する。換言すれば、補正信号生成部では、補正部で用いる補正信号を、所定の色度に対応した各色信号の信号レベルからの差分値として生成すればよいことを意味する。
【００２２】  また、上述した好ましい構成を含む本開示の色信号処理回路にあっては、補正部について、他の原色の色信号に対して補正信号を加算する処理を行う構成とすることができる。このとき、補正信号生成部については、他の原色の色信号に対する補正信号の加算による輝度の上昇分を補正する補正信号を生成する構成とし、補正部については、補正信号生成部が生成した補正信号を１つの原色の色信号から減算する処理を行う構成とすることができる。
【００２３】  また、上述した好ましい構成を含む本開示の色信号処理回路にあっては、補正信号生成部について、他の原色の色信号に対する補正信号の加算による輝度の上昇分を減算した信号として、１つの原色の色信号を出力する構成とすることができる。
【００２４】  また、上述した好ましい構成を含む本開示の色信号処理回路にあっては、複数の原色を、例えば、赤色（Ｒ）、緑色（Ｇ）、青色（Ｂ）、及び、白色（Ｗ）の４原色とし、１つの原色の色信号を白色の色信号とすることができる。このとき、白色の色信号については、所定の階調を表現するための赤色、緑色、及び、青色の各色信号から生成された信号とすることができる。
【００２５】  このように、ＲＧＢＷの４原色を複数の原色とする画素構成の場合にあっては、「所定の輝度」は、補正対象の原色であるＷの最大階調における色度となる。そして、入力されるＷの色信号が最大階調のときは、Ｗの副画素についての色度の変動（ずれ）はゼロであるが、中間調ではＷの色信号の信号レベルに応じて色度が変動する。この色度変動を、他の原色、即ち、ＲＧＢとの加法混色によって補正することになる。
【００２６】  ここで、入力される複数の原色の色信号となる４原色、即ち、ＲＧＢＷの色信号で表現される輝度について、好ましくは、所定の階調を表現するためのＲＧＢの各色信号、即ち、Ｗの生成の基となるＲＧＢの各色信号で表わされる輝度と同じとするのがよい。ここで言う「同じ」とは、厳密に同じである場合の他、実質的に同じである場合も含む意味であり、設計上あるいは製造上生ずる種々のばらつきの存在は許容される。
【００２７】  このように、ＲＧＢＷの色信号で表現される輝度が、Ｗの生成の基となるＲＧＢの各色信号で表わされる輝度と同じであるということは、ＲＧＢの各色信号に対して補正を行う補正部では、輝度については補正が不要であり、色度についてのみ補正を行えばよいことを意味する。換言すれば、補正信号生成部では、補正部で用いる補正信号を、所定の色度に対応した各色信号の信号レベルからの差分値として生成すればよいことを意味する。
【００２８】  本開示の色信号処理回路の前段側には、ＲＧＢＷの３原色の色信号を、これら３原色の色信号を基にＷを含む４原色の色信号に変換する信号変換部を設ける構成とすることができる。このとき、信号変換部については、変換後の４原色の色信号で表現される輝度を、変換前の３原色の色信号で表わされる輝度と同じとする構成であることが好ましい。ここで言う「同じ」とは、厳密に同じである場合の他、実質的に同じである場合も含む意味であり、設計上あるいは製造上生ずる種々のばらつきの存在は許容される。
【００２９】  このように、信号変換部において、変換後の４原色の色信号、即ち、本開示の色信号処理回路に入力される４原色の色信号で表現される輝度が、変換前の３原色の色信号で表わされる輝度と同じであるということは、ＲＧＢの各色信号に対して補正を行う補正部では、輝度については補正が不要であり、色度についてのみ補正を行えばよいことを意味する。換言すれば、補正信号生成部では、補正部で用いる補正信号を、所定の色度に対応した各色信号の信号レベルからの差分値として生成すればよいことを意味する。
【００３０】  また、上述した好ましい構成を含む本開示の色信号処理回路にあっては、補正信号生成部について、補正後の他の原色の色信号及び１つの原色の色信号によって駆動される表示パネルの経時的な特性劣化に応じて補正信号を生成する構成とすることができる。あるいは、補正信号生成部について、表示パネルの温度に応じて補正信号を生成する構成とすることができる。あるいは、補正信号生成部について、表示パネルの面内の座標に応じて補正信号を生成する構成とすることができる。
【００３１】  また、上述した好ましい構成を含む本開示の色信号処理回路にあっては、補正信号生成部について、１つの原色の色信号の信号レベルに対応して、他の原色の色信号についての補正信号を格納したルックアップテーブル（Look Up Table：ＬＵＴ）から成る構成とすることができる。このとき、ルックアップテーブルについては１つ設ける構成でもよいが、補正後の他の原色の色信号及び１つの原色の色信号によって駆動される表示パネルの経時的な特性劣化による色度変動に対応して複数設け、適宜１つを選択して用いるようにするのが好ましい。
【００３２】  ルックアップテーブルを複数設けるに当たっては、表示パネルの経時的な特性劣化による色度変動に対応して複数設け、表示パネルの経時的な特性劣化の度合いに応じて１つを選択して用いる構成とすることができる。あるいは、表示パネルの温度による色度変動に対応して複数設け、表示パネルの検出温度に応じて１つを選択して用いる構成とすることができる。あるいは、表示パネルの面内の色度変動に対応して複数設け、表示パネルの面内座標に応じて１つを選択して用いる構成とすることができる。
【００３３】  また、上述した好ましい構成を含む本開示の色信号処理回路にあっては、補正信号生成部について、第１変換機能、第２変換機能、及び、減算機能を持つ構成とすることができる。第１変換機能は、所定の色度を与える、階調とＸＹＺ座標系のＸＹＺ値との特性、例えば、線形な特性を基に、１つの原色の色信号の信号レベルを他の原色の色信号の信号レベルに変換する機能である。尚、第１変換機能における階調−ＸＹＺ値の特性については、線形な特性が好ましいが、必ずしも線形な特性である必要はない。
【００３４】  第２変換機能は、複数の原色の色信号で表わされる実際の色度を与える、階調とＸＹＺ座標系のＸＹＺ値との非線形な特性を基に、１つの原色の色信号の信号レベルを他の原色の色信号の信号レベルに変換する機能である。ここで、「実際の色度」とは、複数の原色の色信号によって、対応する副画素を駆動した際に、各副画素のデバイスの特性の下に実際に表現される色度である。減算機能は、第１変換機能で変換した信号レベルと第２変換機能で変換した信号レベルとの差分をとる機能である。
【００３５】  第１変換機能、第２変換機能、及び、減算機能については、ハードウェアで構成するようにすることもできるし、マイクロコンピュータを用いて実行するようにすることもできる。また、先述したルックアップテーブルは、これらの機能の下に得られる、１つの原色信号の信号レベルに対応する、他の原色の色信号についての補正信号を格納したテーブルとなる。
【００３６】  以下に、本開示の色信号処理回路（色信号処理方法）、当該色信号処理回路を用いる表示装置（本開示の表示装置）、及び、当該表示装置を有する電子機器（本開示の電子機器）について具体的に説明する。尚、本明細書に示す各種の条件は、厳密に成立する場合の他、実質的に成立する場合にも満たされる。設計上あるいは製造上生ずる種々のばらつきの存在は許容される。
【００３７】＜２．本開示の表示装置＞  先ず、本開示の色信号処理回路を用いる表示装置、即ち、本開示の表示装置について、図１を用いて説明する。
【００３８】  図１は、本開示の色信号処理回路を用いる表示装置の構成の概略を示すブロック図である。図１に示すように、本開示の表示装置１は、信号変換回路１０、色度変動補正回路２０、駆動回路３０、及び、表示パネル４０を有し、赤色（Ｒ）、緑色（Ｇ）、青色（Ｂ）の３原色の色信号ＲＧＢが入力される構成となっている。
【００３９】  信号変換回路１０は、所定の階調を表現するための３原色の色信号を、これら３原色の色信号を基に白色（Ｗ）を含む４原色の色信号に変換する処理を行う。この信号変換において、信号変換回路１０は、変換後の４原色の色信号で表現される輝度が、変換前の３原色の色信号で表わされる輝度と同じになるような信号処理を行う。その具体的な構成については後述する。信号変換回路１０で変換された４原色の色信号Ｒin，Ｇin，Ｂin，Ｗinは色度変動補正回路２０に入力される。
【００４０】  色度変動補正回路２０は、４原色のうちの１つの原色、例えば白色を補正対象の原色とし、他の原色を白色の色度補正のために用いる原色として白色についての色度変動を補正する処理を行う。この色度変動補正回路２０として、後述する本開示の色信号処理回路を用いることができる。
【００４１】  表示パネル４０は、液晶パネルや有機ＥＬパネルなどの周知のフラットパネルであり、発光素子を含む画素（副画素）が行列状に２次元配置されて成り、これら行列状の画素配列に対して、信号線と走査線などの制御線とがマトリクス状に配線された構成となっている。
【００４２】  駆動回路３０は、表示パネル４０に対して表示のための駆動を行う。具体的には、駆動回路３０は、色度変動補正回路２０で色度補正が行われた４原色の色信号Ｒout，Ｇout，Ｂout，Ｗoutを、図示せぬ走査部による垂直走査に同期して、表示パネル４０の画素列毎に配線された信号線に供給する処理を行う。
【００４３】＜３．実施形態に係る色信号処理回路＞  次に、上記の構成の表示装置１における色度変動補正回路２０として用いられる、本開示の一実施形態に係る色信号処理回路について具体的に説明する。
【００４４】  図２は、本開示の一実施形態に係る色信号処理回路の構成の一例を示すブロック図である。ここでは、一実施形態に係る色信号処理回路を色度変動補正回路２０として、信号変換回路１０の具体的な構成例と共に図示している。
【００４５】（信号変換回路）  先ず、信号変換回路１０は、最小値選択部１１、その入力側の乗算器１２R，１２G，１２B、その出力側の乗算器１３R，１３G，１３B、及び、減算器１４R，１４G，１４Bを有する構成となっている。
【００４６】  この信号変換回路１０において、所定の階調を表現するための赤色、緑色、青色の３原色の色信号Ｒ，Ｇ，Ｂは、乗算器１２R，１２G，１２B及び減算器１４R，１４G，１４Bに与えられる。乗算器１２R，１２G，１２Bは、３原色の色信号Ｒ，Ｇ，Ｂに対して所定の係数を乗算し、その乗算結果を最小値選択部１１に与える。
【００４７】  最小値選択部１１は、乗算器１２R，１２G，１２Bから与えられる、所定の係数が乗算された３原色の色信号Ｒ，Ｇ，Ｂの中から最小値の色信号を選択する処理を行う。最小値選択部１１は、選択した最小値の色信号を、白色（Ｗ）の色信号として出力するとともに、乗算器１３R，１３G，１３Bに与える。
【００４８】  乗算器１３R，１３G，１３Bは、最小値選択部１１で選択された最小値の色信号に対して所定の係数を乗算し、減算器１４R，１４G，１４Bに与える。乗算器１３R，１３G，１３Bでは所定の係数として例えば、乗算器１２R，１２G，１２Bでの係数の逆数に類似した係数が用いられる。
【００４９】  減算器１４R，１４G，１４Bは、３原色の色信号Ｒ，Ｇ，Ｂから、乗算器１３R，１３G，１３Bの出力信号を減算する処理を行い、最小値選択部１１から出力されるの色信号Ｗを加えた４原色の色信号として色度変動補正回路２０に与える。
【００５０】  上記の構成の信号変換回路１０は、３原色の色信号Ｒ，Ｇ，Ｂを、白色を含む４原色の色信号Ｒ，Ｇ，Ｂ，Ｗに変換する際に、変換後の４原色の色信号Ｒ，Ｇ，Ｂ，Ｗで表現される輝度が、変換前の３原色Ｒ，Ｇ，Ｂの色信号で表わされる輝度と同じになるような信号処理を行う。当該信号処理は、乗算器１２R，１２G，１２B、乗算器１３R，１３G，１３B、及び、減算器１４R，１４G，１４Bの作用によって実現される。
【００５１】  尚、ここで例示した信号変換回路１０の構成は一例に過ぎず、信号変換回路１０としては、当該構成のものに限られるものではない。すなわち、信号変換回路１０としては、変換後の４原色の色信号Ｒ，Ｇ，Ｂ，Ｗで表現される輝度が、変換前の３原色Ｒ，Ｇ，Ｂの色信号で表わされる輝度と同じになるような信号処理を行う得るものであれば、その構成は問わない。
【００５２】（色度変動補正回路）  図２に示すように、本開示の一実施形態に係る色信号処理回路である色度変動補正回路２０は、補正信号生成部２１及び補正部２２から成り、前段の信号変換回路１０から４原色の色信号Ｒ，Ｇ，Ｂ，Ｗが入力される構成となっている。ここで、入力される４原色の色信号Ｒ，Ｇ，Ｂ，Ｗで表現される輝度は、所定の階調を表現するための３原色の色信号Ｒ，Ｇ，Ｂで表わされる輝度と同じになっている。
【００５３】  補正信号生成部２１は、入力される４原色の色信号Ｒin，Ｇin，Ｂin，Ｗinのうち、１つの原色の色信号の信号レベルに基づいて、他の原色の色信号の色度についての補正信号ΔＲ，ΔＧ，ΔＢを、所定の色度に対応した各色信号の信号レベルからの差分値として生成する処理を行う。
【００５４】  ここでは、一例として、白色の色信号Ｗの信号レベル(強度)に応じて白色の色度が変動した場合を想定する。この場合、白色の色度変動を、他の原色、即ち、赤色、緑色、青色との加法混色によって補正することになる。この場合、「所定の色度」は、補正対象の原色である白色の最大階調における色度ということになる。
【００５５】  また、上記の例では、白色が補正対象の原色となり、赤色、緑色、及び、青色が白色の色度補正のために用いる原色となる。色度補正のために用いる原色は、必ずしも補正対象の原色と同じ画素（ピクセル）内である必要はなく、例えば、補正対象の原色と同じ画素に隣接または近接した画素の原色を用いることも可能である。
【００５６】  補正部２２は、補正信号生成部２１が生成した補正信号ΔＲ，ΔＧ，ΔＢを用いて、他の原色の色信号Ｒin，Ｇin，Ｂinを補正（調整）することで、白色についての色度変動を補正する処理を行う。この補正部２２は、差分値である補正信号ΔＲ，ΔＧ，ΔＢを用いることで、色度変動のみの補正を行う。従って、４原色の色信号Ｒin，Ｇin，Ｂin，Ｗinで表現される輝度と、補正部２２で補正後の他の原色の色信号Ｒout，Ｇout，Ｂout及び白色の色信号Ｗout（Ｗin）で表現される輝度とが同じということになる。
【００５７】  上述したように、上記の構成の色度変動補正回路２０では、入力される４原色の色信号Ｒ，Ｇ，Ｂ，Ｗで表現される輝度が、所定の階調を表現するための３原色の色信号Ｒ，Ｇ，Ｂで表わされる輝度と同じであることで、補正部２２では色度の補正のみを行えばよいことになる。これにより、補正信号生成部２１では、補正対象の原色である白色の最大階調における色度に対応した色信号Ｗinからの差分値として補正信号ΔＲ，ΔＧ，ΔＢを生成すればよいため、補正信号生成部２１の出力は、色信号Ｒin，Ｇin，Ｂinの信号値のフルレンジを取る必要がない。
【００５８】  従って、補正信号生成部２１の出力値のビット精度を、フルレンジを取る必要がある場合と同じとするならば、フルレンジを取る必要がある場合に比べてデータ量の削減を図ることができる。これにより、白色の色信号Ｗinの信号レベルに応じた色度変動を、より少ないデータ量にて補正できることになる。更に、製品で規定する色度に合わせるように補正を行うこともできる。
【００５９】  補正信号生成部２１では、補正信号ΔＲ，ΔＧ，ΔＢについて、表示パネル４０の経時的な特性劣化、より具体的には副画素の発光素子の経時的な特性劣化に応じた値を生成する構成を採ることもできる。また、補正信号ΔＲ，ΔＧ，ΔＢについて、表示パネル４０の温度や、表示パネル４０の面内の座標に応じた値を生成する構成を採ることもできる。その他、表示パネル４０を駆動する条件、例えば駆動電圧や駆動周波数や発光デューティなどに応じた値の補正信号ΔＲ，ΔＧ，ΔＢを生成する構成を採ることもできる。
【００６０】  このような構成を採ることで、初期の色度変動の補正のために補正信号ΔＲ，ΔＧ，ΔＢを用いるだけでなく、経時的な色度変動や、その他表示パネル４０を駆動する条件が変化したことに起因する色度変動を補正するために補正信号ΔＲ，ΔＧ，ΔＢを用いることができる。
【００６１】  補正対象の原色である白色の最大階調における色度に対応した色信号Ｗinの信号レベルからの差分値として補正信号ΔＲ，ΔＧ，ΔＢを生成するための補正信号生成部２１については、第１変換機能、第２変換機能、及び、減算機能を持つ構成とすることで実現できる。第１変換機能は、補正対象の原色である白色の最大階調における色度を与える、階調−ＸＹＺ値の特性、好ましくは線形な特性を基に、白色の色信号Ｗinの信号レベルを他の原色の色信号Ｒin，Ｇin，Ｂinの信号レベルに変換する機能である。ここで、ＸＹＺ値は、ＸＹＺ座標系における輝度及び色度を示す値である。
【００６２】  第２変換機能は、４原色の色信号Ｒin，Ｇin，Ｂin，Ｗinで表現される実際の色度を与える、階調−ＸＹＺ値の非線形な特性を基に、白色の色信号Ｗinの信号レベルを他の原色の色信号Ｒin，Ｇin，Ｂinの信号レベルに変換する機能である。ここで、「実際の色度」とは、４原色の色信号Ｒout，Ｇout，Ｂout，Ｗoutによって、対応する副画素を駆動した際に、各副画素のデバイスの特性の下に実際に表現される色度である。
【００６３】  減算機能は、第１変換機能で変換した信号レベルと、第２変換機能で変換した信号レベルとの差分をとる機能である。これら第１変換機能、第２変換機能、及び、減算機能を実行することによって、補正信号ΔＲ，ΔＧ，ΔＢを、所定の色度、即ち、白色の最大階調における色度に対応した色信号Ｗinの信号レベルからの差分値として生成することができる。
【００６４】  第１変換機能、第２変換機能、及び、減算機能については、ハードウェアで構成するようにすることもできるし、マイクロコンピュータを用いてソフトウェアにて実行するようにすることもできる。また、第１変換機能、第２変換機能、及び、減算機能を実行することによって求めた補正信号ΔＲ，ΔＧ，ΔＢを、白色の色信号Ｗinの信号レベルと対応させて格納したルックアップテーブルを用いるようにすることもできる。以下に、本開示の一実施形態に係る色信号処理回路である色度変動補正回路２０の具体的な実施例について説明する。
【００６５】［３−１．実施例１］  図３は、実施例１に係る色度変動補正回路（即ち、色信号処理回路）を示すブロック図である。
【００６６】  実施例１に係る色度変動補正回路２０Aは、補正信号生成部２１として、ルックアップテーブル（ＬＵＴ）２１１Aを用いた構成を採っている。ルックアップテーブル２１１Aには予め、先述した第１変換機能、第２変換機能、及び、減算機能の実行の下に求められた補正信号ΔＲ，ΔＧ，ΔＢが、白色の色信号Ｗinの信号レベルとの対応関係をもって格納されている。補正信号ΔＲ，ΔＧ，ΔＢの値としては、正負いずれの値であってもよい。
【００６７】  ルックアップテーブル２１１Aに白色の色信号Ｗinが入力されると、当該ルックアップテーブル２１１Aからは、白色の色信号Ｗinの信号レベルに応じた補正信号ΔＲ，ΔＧ，ΔＢが出力され、補正部２２Aに入力される。補正部２２Aは、色信号Ｒin，Ｇin，Ｂinに対応した加減算器２２１R，２２１G，２２１Bから成り、色信号Ｒin，Ｇin，Ｂinの信号レベルに対して補正信号ΔＲ，ΔＧ，ΔＢを加算または減算する処理を行う。
【００６８】  これにより、補正部２２Aからは、色度補正された白色の副画素の発光を実現するための３原色の色信号Ｒout，Ｇout，Ｂoutが、白色の色信号Ｗoutと共に出力される。尚、白色の色信号Ｗoutに対しては何ら処理は行われていない、即ち、Ｗout＝Ｗinである。
【００６９】  実施例１に係る色度変動補正回路２０Aにおいては、実施形態の作用、効果の説明から明らかなように、補正信号生成部２１のデータ量の削減を図ることができることから、当該補正信号生成部２１として用いるルックアップテーブルの規模を小さくすることができる。この作用、効果については、補正信号生成部２１としてルックアップテーブルを用いる実施例２乃至実施例５においても同様である。
【００７０】  尚、本実施例１では、ルックアップテーブル２１１Aから出力される補正信号ΔＲ，ΔＧ，ΔＢの値については、正負のいずれでもよいとしたが、その他の信号処理ブロックとの最適化等の観点から、正の値のみを許容する方が好ましい場合がある。この点に鑑みて為されたのが実施例２である。
【００７１】［３−２．実施例２］  図４は、実施例２に係る色度変動補正回路（即ち、色信号処理回路）を示すブロック図である。
【００７２】  実施例２に係る色度変動補正回路２０Bは、ルックアップテーブル２１１Bから出力される補正信号ΔＲ，ΔＧ，ΔＢを正の値に規定している。これにより、補正部２２Bでは、加算器２２１R，２２１G，２２１Bにおいて加算のみの処理が行われることになる。
【００７３】  但し、ルックアップテーブル２１１Aから出力される補正信号ΔＲ，ΔＧ，ΔＢの値を正のみに制限すると、３原色の色信号Ｒout，Ｇout，Ｂoutに対する補正信号ΔＲ，ΔＧ，ΔＢの加算によって画素の発光輝度が上昇してしまう懸念がある。
【００７４】  この色信号Ｒout，Ｇout，Ｂoutに対する補正信号ΔＲ，ΔＧ，ΔＢの加算による発光輝度の上昇を防止するために、実施例２に係る色度変動補正回路２０Bでは、白色の色信号Ｗinに対して、３原色の色信号Ｒin，Ｇin，Ｂinに対する補正信号ΔＲ，ΔＧ，ΔＢの加算による輝度の上昇分を補正する補正信号ΔＷを生成する構成を採っている。
【００７５】  この白色の色信号Ｗinに対する補正信号ΔＷも、他の補正信号ΔＲ，ΔＧ，ΔＢと同様に、ルックアップテーブル２１１Bに白色の色信号Ｗinの信号レベルとの対応関係をもって格納されることになる。そして、ルックアップテーブル２１１Bから出力される補正信号ΔＷは、補正部２２B内の加算器２２１Wにおいて、白色の色信号Ｗinの信号レベルから減算する処理が行われる。
【００７６】  このように、色信号Ｒout，Ｇout，Ｂoutに対して補正信号ΔＲ，ΔＧ，ΔＢを加算する構成を採る場合には、白色の色信号Ｗinの信号レベルから補正信号ΔＷを減算することで、補正信号ΔＲ，ΔＧ，ΔＢの加算によって画素の発光輝度が上昇してしまうのを未然に防止することができる。
【００７７】［３−３．実施例２の変形例］  図５は、実施例２の変形例に係る色度変動補正回路（即ち、色信号処理回路）を示すブロック図である。
【００７８】  実施例２では、白色の色信号Ｗinに対する補正信号ΔＷをルックアップテーブル２１１Bに格納し、このルックアップテーブル２１１Bから出力される補正信号ΔＷを白色の色信号Ｗinの信号レベルから減算することで、所期の目的を達成するようにしている。
【００７９】  これに対して、本変形例に係る色度変動補正回路２０Cでは、白色の色信号Ｗinについて、他の原色の色信号Ｒout，Ｇout，Ｂoutに対する補正信号ΔＲ，ΔＧ，ΔＢの加算による輝度の上昇分を減算した信号として予めルックアップテーブル２１１Cに格納しておく構成を採っている。
【００８０】  すなわち、ルックアップテーブル２１１Cには、補正信号ΔＲ，ΔＧ，ΔＢと共に、これら補正信号ΔＲ，ΔＧ，ΔＢの加算による輝度の上昇分を考慮した白色の色信号Ｗoutが格納される。そして、白色の色信号Ｗinが入力されると、ルックアップテーブル２１１Cからは、色信号Ｗinの信号レベルに対応した補正信号ΔＲ，ΔＧ，ΔＢと共に、これら補正信号ΔＲ，ΔＧ，ΔＢの加算による輝度の上昇分を抑える白色の色信号Ｗoutが出力されることになる。
【００８１】  この実施例２の変形例の場合には、ルックアップテーブル２１１Cに格納する色信号Ｗoutが差分値でないため、実施例２に比べてルックアップテーブル２１１Cのデータ量が増えるものの、実施例２と同等の作用、効果を得ることができる。
【００８２】［３−４．実施例３］  図６は、実施例３に係る色度変動補正回路（即ち、色信号処理回路）を示すブロック図である。
【００８３】  実施例３に係る色度変動補正回路２０Dは、実施例１に係る色度変動補正回路２０Aの構成を基本とした上で、ルックアップテーブル２１１Dとして複数のルックアップテーブルを用いる構成を採っている。ルックアップテーブル２１１Dが複数のルックアップテーブルから成る点については、後述する実施例４及び実施例５の場合にも同様である。また、実施例２に係る色度変動補正回路２０Bあるいはその変形例に係る色度変動補正回路２０Cの構成を基本とした場合にも適用可能である。
【００８４】  ルックアップテーブル２１１Dとして複数のルックアップテーブルを用いるに当たり、実施例３に係る色度変動補正回路２０Dでは、補正信号ΔＲ，ΔＧ，ΔＢについて、表示パネル４０の経時的な特性劣化に応じた値を複数のルックアップテーブルに格納するようにする。表示パネル４０の経時的な特性劣化としては、副画素の発光素子（例えば、有機ＥＬ素子）の経時的な特性劣化を例示することができる。
【００８５】  実施例３に係る色度変動補正回路２０Dは、補正信号生成部２１及び補正部２２に加えて、制御部５０及び特性劣化検出部６０を有する構成となっている。制御部５０は、特性劣化検出部６０の検出信号に基づいて、ルックアップテーブル２１１Dにおける複数のルックアップテーブルの１つを選択する制御を行う。
【００８６】  特性劣化検出部６０は、表示パネル４０の経時的な特性劣化を検出し、その特性劣化の度合いに応じた検出信号を制御部５０に与える。表示パネル４０の経時的な特性劣化については、表示パネル４０の累積点灯時間や画素の劣化状態などを基に検出することができる。画素の劣化状態については、例えば、画素個々の点灯時間と表示階調（信号強度）などを任意の画素あるいは任意の領域の画素について記憶、保持しておくことによって検出することができる。
【００８７】  上記の構成の実施例３に係る色度変動補正回路２０Dによれば、初期の色度変動の補正のために補正信号ΔＲ，ΔＧ，ΔＢを用いるだけでなく、経時的な色度変動を補正するのに最適な補正信号ΔＲ，ΔＧ，ΔＢを用いることができる。従って、表示パネル４０の経時的な特性劣化の度合いに関係なく、色度変動をより確実に補正することができる。
【００８８】［３−５．実施例４］  図７は、実施例４に係る色度変動補正回路（即ち、色信号処理回路）を示すブロック図である。
【００８９】  実施例４に係る色度変動補正回路２０Eも、実施例３に係る色度変動補正回路２０Dと同様に、ルックアップテーブル２１１Dとして複数のルックアップテーブルを用いる構成を採っている。そして、実施例４に係る色度変動補正回路２０Eは、補正信号生成部２１及び補正部２２に加えて、制御部５０及びパネル温度検出部７０を有する構成を採っている。
【００９０】  色度は、信号レベルに応じて変動する他、表示パネル４０の温度によっても変動する場合がある。そこで、ルックアップテーブル２１１Dとして複数のルックアップテーブルを用いるに当たって、実施例４に係る色度変動補正回路２０Eでは、補正信号ΔＲ，ΔＧ，ΔＢについて、表示パネル４０の温度に応じた値を複数のルックアップテーブルに格納するようにする。
【００９１】  パネル温度検出部７０は、サーミスタなどの温度センサを用いて表示パネル４０の温度（パネル温度）を検出する。制御部５０は、パネル温度検出部７０の検出信号（検出温度）に基づいて、ルックアップテーブル２１１Dにおける複数のルックアップテーブルの１つを選択する制御を行う。
【００９２】  上記の構成の実施例４に係る色度変動補正回路２０Eによれば、初期の色度変動の補正のために補正信号ΔＲ，ΔＧ，ΔＢを用いるだけでなく、表示パネル４０の温度に応じた色度変動を補正するのに最適な補正信号ΔＲ，ΔＧ，ΔＢを用いることができる。従って、表示パネル４０の温度の影響を受けることなく、色度変動をより確実に補正することができる。
【００９３】［３−６．実施例５］  図８は、実施例５に係る色度変動補正回路（即ち、色信号処理回路）を示すブロック図である。
【００９４】  実施例５に係る色度変動補正回路２０Fも、実施例３に係る色度変動補正回路２０Dと同様に、ルックアップテーブル２１１Dとして複数のルックアップテーブルを用いる構成を採っている。そして、実施例５に係る色度変動補正回路２０Fは、補正信号生成部２１及び補正部２２に加えて、制御部５０及び面内座標検出部８０を有する構成を採っている。
【００９５】  先述した実施例１乃至実施例４では、色度変動の補正について、画面共通に処理することを前提としている。これに対して、実施例５では、画面内を部分的にあるいは画素毎に処理するようにする。
【００９６】  色度は、信号レベルに応じて変動する他、表示パネル４０の面内の座標（表示位置）によっても変動する場合がある。そこで、ルックアップテーブル２１１Dとして複数のルックアップテーブルを用いるに当たって、実施例５に係る色度変動補正回路２０Fでは、補正信号ΔＲ，ΔＧ，ΔＢについて、表示パネル４０の面内座標に応じた値を複数のルックアップテーブルに格納するようにする。
【００９７】  一方、面内座標検出部８０は、表示パネル４０の面内をあるエリアに分割して部分的に色度補正を行う場合にはそのエリア位置を特定する座標を、画素毎に色度補正を行う場合にはその画素位置を特定する座標を検出する。これら面内座標は、表示駆動を行う際のアドレス情報などから検出することができる。制御部５０は、面内座標検出部８０の検出信号（検出座標）に基づいて、ルックアップテーブル２１１Dにおける複数のルックアップテーブルの１つを選択する制御を行う。
【００９８】  上記の構成の実施例５に係る色度変動補正回路２０Fによれば、初期の色度変動の補正のために補正信号ΔＲ，ΔＧ，ΔＢを用いるだけでなく、表示パネル４０の面内座標に応じた色度変動を補正するのに最適な補正信号ΔＲ，ΔＧ，ΔＢを用いることができる。これにより、表示パネル４０の面内座標に関係なく、色度変動をより確実に補正することができるとともに、画面内で部分的に生じる色ムラを補正することもできる。
【００９９】  上述した実施例３乃至実施例５については、これら実施例を個々に独立して用いる構成他、これら実施例を任意の組合せで用いる構成を採ることも可能である。
【０１００】［３−７．実施例６］  図９は、実施例６に係る色度変動補正回路（即ち、色信号処理回路）を示すブロック図である。
【０１０１】  先述した実施例１乃至実施例５では、補正信号生成部２１として、ルックアップテーブルを用いている。これに対して、実施例６に係る色度変動補正回路２０Gでは、補正信号生成部２１をハードウェア構成としている。すなわち、図９に示すように、補正信号生成部２１は、第１変換部２１２、第２変換部２１３、及び、減算部２１４から成る構成となっている。
【０１０２】  第１変換部２１２は、補正対象の原色である白色の最大階調における色度を与える、階調−ＸＹＺ値の特性を基に、白色の色信号Ｗinの信号レベルを他の原色の色信号Ｒin，Ｇin，Ｂinの信号レベルに変換する。ここで用いる階調−ＸＹＺ値の特性としては、線形な特性が好ましいが、線形な特性に限られるものではない。
【０１０３】  より具体的には、第１変換部２１２は、階調−ＸＹＺ値の特性について線形特性を仮定して、白色の色信号Ｗinの信号レベルをＸＹＺ値に変換する変換部２１２Aと、周知の３×３変換マトリクスに基づいてＸＹＺ値をＲＧＢ値に変換する変換部２１２Bとから構成されている。
【０１０４】  第２変換部２１３は、４原色の色信号Ｒin，Ｇin，Ｂin，Ｗinで表現される実際の色度を与える、階調−ＸＹＺ値の非線形な特性を基に、白色の色信号Ｗinの信号レベルを他の原色の色信号Ｒin，Ｇin，Ｂinの信号レベルに変換する。
【０１０５】  より具体的には、第２変換部２１３は、階調−ＸＹＺ値の特性について非線形特性を仮定して、白色の色信号Ｗinの信号レベルをＸＹＺ値に変換する変換部２１３Aと、周知の３×３変換マトリクスに基づいてＸＹＺ値をＲＧＢ値に変換する変換部２１３Bとから構成されている。
【０１０６】  減算部２１４は、３原色に対応して設けられた減算器２１４R，２１４G，２１４Bから成り、各原色毎に、第１変換部２１２で変換した信号レベルと第２変換部２１３で変換した信号レベルとの差分をとる。
【０１０７】  上述した第１変換部２１２、第２変換部２１３、及び、減算部２１４の作用により、白色の色信号Ｗinの信号レベルに基づいて、他の原色の色信号Ｒin，Ｇin，Ｂinの色度についての補正信号ΔＲ，ΔＧ，ΔＢを、所定の色度に対応した各色信号の信号レベルからの差分値として生成することができる。尚、第１変換部２１２や第２変換部２１３については、乗算器や加算器を用いて構成することができる。
【０１０８】  上記の構成の実施例６に係る色度変動補正回路２０Gによれば、補正対象の原色である白色の最大階調における色度に対応した色信号Ｗinからの差分値として補正信号ΔＲ，ΔＧ，ΔＢを生成すればよいため、小さな回路規模で補正信号ΔＲ，ΔＧ，ΔＢの生成を実現できる。
【０１０９】  尚、本実施例では、補正信号生成部２１について、第１変換部２１２、第２変換部２１３、及び、減算部２１４から成るハードウェア構成としたが、第１変換部２１２、第２変換部２１３、及び、減算部２１４の各機能をマイクロコンピュータを用いてソフトウェアにて実行する構成を採ることも可能である。
【０１１０】＜４．比較例＞  ここで、先述した特許文献１（特表２０１０−５２４０４４号公報）に記載の従来技術に係る色信号処理回路について、本開示の実施形態に係る色度変動補正回路２０との比較例として説明する。図１０は、比較例に係る従来の色信号処理回路の構成を示すブロック図である。
【０１１１】  図１０に示すように、比較例（従来技術）に係る色信号処理回路１００は、ルックアップテーブル１０１、最小値選択部１０２、ルックアップテーブル１０３、及び、補正部１０４を有する構成となっている。
【０１１２】  ルックアップテーブル１０１では、３原色の色信号Ｒin，Ｇin，Ｂinの信号レベル（強度）から白色の駆動レベル（信号レベル）へ変換する処理が行われる。最小値選択部１０２では、最小値を白色の色信号Ｗinとして選択する処理が行われる。ルックアップテーブル１０３では、白色の色信号Ｗinから補正信号ＲW，ＧW，ＢWを生成する処理が行われる。補正部１０４では、減算器１０４R，１０４G，１０４Bにより、３原色の色信号Ｒin，Ｇin，Ｂinの信号レベルから補正信号ＲW，ＧW，ＢWを減算する処理が行われる。
【０１１３】  上記の構成の比較例に係る従来の色信号処理回路１００は、３原色の色信号Ｒin，Ｇin，Ｂinから４原色の色信号Ｒin，Ｇin，Ｂin，Ｗinへ変換する信号変換回路の中に、色度変動補正回路を組み込んだ構成となっている。そして、ルックアップテーブル１０３及び補正部１０４から成る回路部分が、本開示の実施形態に係る色度変動補正回路２０に対応することになる。
【０１１４】  ここで、補正部１０４に着目すると、当該補正部１０４には３原色の色信号Ｒin，Ｇin，Ｂinが直接入力されており、これら色信号Ｒin，Ｇin，Ｂinに白色の色信号Ｗinが追加されているため、色信号Ｗinが追加される分だけ発光輝度が上昇する。従って、補正部１０４では、色度の補正に加えて輝度の補正も行うことになる。色度補正に加えて輝度補正をも行うには、ルックアップテーブル１０３では、各原色の信号値のフルレンジを取る必要があるためデータ量が多くなってしまう。
【０１１５】  これに対して、本開示の実施形態に係る色度変動補正回路２０では、前にも述べたように、白色の最大階調における色度に対応した色信号Ｗinからの差分値として補正信号ΔＲ，ΔＧ，ΔＢを生成すればよいため、補正信号生成部２１の出力は、色信号Ｒin，Ｇin，Ｂinの信号値のフルレンジを取る必要がない。従って、補正信号生成部２１の出力値のビット精度を、フルレンジを取る必要がある場合と同じとするならば、フルレンジを取る必要がある場合に比べてデータ量の削減を図ることができる。
【０１１６】＜５．実施形態の変形例＞  以上、本開示の好ましい実施形態について説明したが、本開示の技術は、上記の好ましい実施形態に限定されるものではなく、特許請求の範囲に記載された本開示の要旨を逸脱しない範囲内において、種々の変形、改変が可能である。
【０１１７】  例えば、上記の実施形態では、色度変動補正回路２０の前段に図２に示す構成の信号変換回路１０が設けられる場合を例に挙げたが、３原色の色信号から４原色の色信号への変換方式はどのような方式であってもよく、また、信号変換回路自体が無くてもよい。
【０１１８】  また、上記の実施形態では、１つの画素がＲＧＢＷの副画素から成り、Ｗを補正対象の原色とし、ＲＧＢを色度補正のために用いる原色としたが、これは一例であって、これらの組合せに限られるものではなく、ＲＧＢ原色及びその他の原色についても適用可能である。例えば、１つの画素がＲＧＢの副画素から成り、そのうちの１原色を補正対象の原色とし、他の原色を色度補正のために用いる原色とすることも可能である。
【０１１９】  また、上記の実施形態では、１つの原色の色信号の信号レベルに応じた色度変動を補正するとしたが、ある特定の信号レベルにおける色度との相対的な色度変動を補正するために用いてもよいし、更には、ターゲットとなる色度との絶対的な色度変動を補正するために用いてもよい。また、この両者を組み合わせて用いてもよい。
【０１２０】＜６．本開示の電子機器＞  以上説明した本開示の色信号処理回路を用いる表示装置、即ち、本開示の表示装置は、電子機器に入力された映像信号、若しくは、電子機器内で生成した映像信号を、画像若しくは映像として表示する表示部を有するあらゆる分野の電子機器において、その表示部（表示装置）として用いることが可能である。
【０１２１】  本開示の表示装置を表示部として用いる電子機器としては、デジタルカメラ、ビデオカメラ、ゲーム機器、ノート型パーソナルコンピュータ、テレビジョンシステム、投射型表示システム、電子書籍機器等の携帯情報機器や、携帯電話機等の携帯通信機器などを例示することができる。
【０１２２】＜７．本開示の構成＞  尚、本開示は以下のような構成を採ることができる。［１］入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える色信号処理回路。［２］入力される複数の原色の色信号で表現される輝度と、補正部で補正後の他の原色の色信号及び１つの原色の色信号で表現される輝度とが同じである上記［１］に記載の色信号処理回路。［３］補正部は、他の原色の色信号に対して補正信号を加算する処理を行う上記［１］または上記［２］に記載の色信号処理回路。［４］補正信号生成部は、１つの原色の色信号に対して、他の原色の色信号に対する補正信号の加算による輝度の上昇分を補正する補正信号を生成し、  補正部は、補正信号生成部が生成した補正信号を１つの原色の色信号の信号レベルから減算する処理を行う上記［３］に記載の色信号処理回路。［５］補正信号生成部は、１つの原色の色信号について、他の原色の色信号に対する補正信号の加算による輝度の上昇分を減算した信号として出力する上記［３］に記載の色信号処理回路。［６］複数の原色は、赤色、緑色、青色、及び、白色の４原色であり、  １つの原色の色信号は、白色の色信号である上記［１］から上記［６］のいずれかに記載の色信号処理回路。［７］白色の色信号は、所定の階調を表現するための赤色、緑色、及び、青色の各色信号から生成された信号である上記［６］に記載の色信号処理回路。［８］入力される複数の原色の色信号となる４原色の色信号で表現される輝度は、所定の階調を表現するための赤色、緑色、及び、青色の各色信号で表わされる輝度と同じである上記［７］に記載の色信号処理回路。［９］入力される複数の原色の色信号は、所定の階調を表現するための赤色、緑色、及び、青色の３原色の色信号を、これら３原色の色信号を基に白色を含む４原色の色信号に変換する信号変換回路から与えられ、  信号変換回路は、変換後の４原色の色信号で表現される輝度を、変換前の３原色の色信号で表わされる輝度と同じにする上記［８］に記載の色信号処理回路。［１０］補正信号生成部は、補正部で補正後の他の原色の色信号及び１つの原色の色信号によって駆動される表示パネルの経時的な特性劣化に応じて補正信号を生成する上記［１］から上記［９］のいずれかに記載の色信号処理回路。［１１］補正信号生成部は、補正部で補正後の他の原色の色信号及び１つの原色の色信号によって駆動される表示パネルの温度に応じて補正信号を生成する上記［１］から上記［９］のいずれかに記載の色信号処理回路。［１２］補正信号生成部は、補正部で補正後の他の原色の色信号及び１つの原色の色信号によって駆動される表示パネルの面内の座標に応じて補正信号を生成する上記［１］から上記［９］のいずれかに記載の色信号処理回路。［１３］補正信号生成部は、１つの原色の色信号の信号レベルに対応して、他の原色の色信号についての補正信号を格納したルックアップテーブルから成る上記［１］から上記［１２］��いずれかに記載の色信号処理回路。［１４］ルックアップテーブルは、補正部で補正後の他の原色の色信号及び１つの原色の色信号によって駆動される表示パネルの経時的な特性劣化による色度変動に対応して複数設けられており、表示パネルの経時的な特性劣化の度合いに応じて１つが選択される上記［１３］に記載の色信号処理回路。［１５］ルックアップテーブルは、補正部で補正後の他の原色の色信号及び１つの原色の色信号によって駆動される表示パネルの温度による色度変動に対応して複数設けられており、表示パネルの検出温度に応じて１つが選択される上記［１３］に記載の色信号処理回路。［１６］ルックアップテーブルは、補正部で補正後の他の原色の色信号及び１つの原色の色信号によって駆動される表示パネルの面内の色度変動に対応して複数設けられており、表示パネルの面内座標に応じて１つが選択される上記［１３］に記載の色信号処理回路。［１７］補正信号生成部は、  所定の色度を与える、階調とＸＹＺ座標系のＸＹＺ値との特性を基に、１つの原色の色信号の信号レベルを他の原色の色信号の信号レベルに変換する第１変換機能と、  複数の原色の色信号で表現される実際の色度を与える、階調とＸＹＺ座標系のＸＹＺ値との非線形な特性を基に、１つの原色の色信号の信号レベルを他の原色の色信号の信号レベルに変換する第２変換機能と、  第１変換機能で変換した信号レベルと第２変換機能で変換した信号レベルとの差分をとる減算機能とを有する上記［１］から上記［１２］のいずれか１項に記載の色信号処理回路。［１８］入力される複数の原色の色信号のうち、１つの原色の色信号の信号レベルに基づいて、他の原色の色信号の色度についての補正信号を、所定の色度に対応した各色信号の信号レベルからの差分値として生成し、  この生成した補正信号を用いて他の原色の色信号を補正する色信号処理方法。［１９］複数の原色に対応する複数の副画素を含む単位画素が配置されて成る表示パネルと、  複数の副画素を駆動する複数の原色の色信号を処理する色信号処理回路とを具備し、  色信号処理回路は、  入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える表示装置。［２０］複数の原色に対応する複数の副画素を含む単位画素が配置されて成る表示パネルと、  複数の副画素を駆動する複数の原色の色信号を処理する色信号処理回路とを具備し、  色信号処理回路は、  入力される複数の原色の色信号のうち、１つの原色の色信号の信号レベルに基づいて、他の原色の色信号の色度についての補正信号を、所定の色度に対応した各色信号の信号レベルからの差分値として生成する補正信号生成部と、  補正信号生成部が生成した補正信号を用いて他の原色の色信号を補正する補正部とを備える表示装置を有する電子機器。
【符号の説明】
【０１２３】  １・・・表示装置、１０・・・信号変換回路、１１・・・最小値選択部、１２R，１２G，１２B，１３R，１３G，１３B・・・乗算器、１４R，１４G，１４B・・・減算器、２０，２０A〜２０G・・・色度変動補正回路、２１・・・補正信号生成部、２２，２２A，２２B・・・補正部、３０・・・駆動回路、４０・・・表示パネル、５０・・・制御部、６０・・・特性劣化検出部、７０・・・パネル温度検出部、８０・・・面内座標検出部、２１１A〜２１１D・・・ルックアップテーブル（ＬＵＴ）
【図１】
2014024577.tif 000003
【図２】
2014024577.tif 000004
【図３】
2014024577.tif 000005
【図４】
2014024577.tif 000006
【図５】
2014024577.tif 000007
【図６】
2014024577.tif 000008
【図７】
2014024577.tif 000009
【図８】
2014024577.tif 000010
【図９】
2014024577.tif 000011
【図１０】
2014024577.tif 000012
【国際調査報告】
2014024577.tif 000013
2014024577.tif 000014
2014024577.tif 000015
2014024577.tif 000016